(57)【要約】【課題】本発明は業務用ではもちろんのこと、回転式乾燥機を有する家庭でも、容易に短時間に汚れやシミを落とすことができるドライウェットクリーニングを行なうことができるドライウェットクリーニング方法および洗浄マットを得るにある。【解決手段】クリーニングする衣類にドライゼットクリーナ（商品名）をシワや汚れ、汗の付着部分に少し多めにスプレーするドライゼットクリーナスプレー工程と、このドライゼットクリーナスプレー工程後にスプレーされた衣類を回転式乾燥機に入れるとともに、立体的で所定の質量を有する洗浄マットも少なくとも１個以上入れ、衣類と洗浄マットを回転させながら乾燥させる乾燥工程とでドライウェットクリーニング方法を構成している。【選択図】　図１
2004024379.tif 000002
【特許請求の範囲】
【請求項１】
クリーニングする衣類にドライゼットクリーナ（商品名）をシワや汚れ、汗の付着部分に少し多めにスプレーするドライゼットクリーナスプレー工程と、このドライゼットクリーナスプレー工程後にスプレーされた衣類を回転式乾燥機に入れるとともに、立体的で所定の質量を有する洗浄マットも少なくとも１個以上入れ、衣類と洗浄マットを回転させながら乾燥させる乾燥工程とを含むことを特徴とするドライウェットクリーニング方法。
【請求項２】
クリーニングする衣類のシミや汚れ部位にドライゼットクリーナ（商品名）をスプレーし、クロスで拭き取る汚れ等の除去工程と、この汚れ等の除去工程を経た衣類に前記ドライゼットクリーナをシワや汚れ、汗の付着部分に少し多めにスプレーするドライゼットクリーナスプレー工程と、このドライゼットクリーナスプレー工程後にスプレーされた衣類を回転式乾燥機に入れるとともに、立体的で所定の質量を有する洗浄マットも少なくとも１個以上入れ、衣類と洗浄マットを回転させながら乾燥させる乾燥工程とを含むことを特徴とするドライウェットクリーニング方法。
【請求項３】
超純水、シリコン、界面活性剤、有機酸、除菌剤が主剤のドライゼットクリーナ（商品名）あるいはドライウエットクリ−ナ（商品名）を用いるとともに、乾燥工程は低温あるいは弱で回転式乾燥機を駆動させて行なうことを特徴とする請求項１、２記載のドライウェットクリーニング方法。
【請求項４】
汚れが付着する編地あるいは布地で形成された袋と、この袋内に該袋が立体的となり、かつ所定の質量となるように収納された立体形状の質量体とからなることを特徴とする洗浄マット。
【請求項５】
ペットボトルの再生糸に綿を配合した編糸を用いて、表面が凹凸のライン状となるように編まれた、汚れが付着する編地で形成された袋と、この袋内に該袋が立体的となり、かつ所定の質量となるように収納された筒状のプラスチック材を切断した多数個の質量体とからなることを特徴とする洗浄マット。
【発明の詳細な説明】
【０００１】
【発明の属する技術分野】
本発明は業務用ではもちろんのこと回転式乾燥機を有する、家庭でもドライクリーニングを行なうことができるドライウェットクリーニング方法および洗浄マットに関する。
【０００２】
【従来の技術】
従来、ドライクリーニングは、石油系や塩素系の溶剤で洗浄する洗浄工程をした後、水洗いの脱水工程を行なった後、乾燥機で乾燥する乾燥工程を行なっている。
【０００３】
【発明が解決しようとする課題】
従来のドライクリーニングは専用機でしかできないとともに、石油系や塩素系の溶剤を使用するため、公害問題が発生するという欠点がある。
また、洗浄工程や乾燥工程に時間がかかり、クリーニングに時間がかかり、効率のよいクリーニングができず、コスト高になるという欠点があった。
【０００４】
本発明は以上のような従来の欠点に鑑み、業務用ではもちろんのこと、回転式乾燥機を有する家庭でも、容易に短時間に汚れやシミを落とすことができるドライウェットクリーニングを行なうことができるドライウェットクリーニング方法および洗浄マットを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はクリーニングする衣類にドライゼットクリーナ（商品名）をシワや汚れ、汗の付着部分に少し多めにスプレーするドライゼットクリーナスプレー工程と、このドライゼットクリーナスプレー工程後にスプレーされた衣類を回転式乾燥機に入れるとともに、立体的で所定の質量を有する洗浄マットも少なくとも１個以上入れ、衣類と洗浄マットを回転させながら乾燥させる乾燥工程とでドライウェットクリーニング方法を構成している。
【０００７】
また、本発明は汚れが付着する編地で形成された袋と、この袋内に該袋が立体的となり、かつ所定の質量となるように収納された多数個の立体形状の質量体とで洗浄マットを構成している。
【０００８】
【発明の実施の形態】
以下、図面に示す実施の形態により、本発明を詳細に説明する。
【０００９】
図１ないし図６に示す本発明の第１の実施の形態において、１はクリーニングするスーツ・ズボン・スカート・セーター・ジャケット・ドレス・本皮・毛皮・合成皮革・シルク・アンゴラ・カシミヤ・テンセル・レ−ヨン・ポリウレタン・コ−ルテン・コスチュ−ム・スキ−ウェア・ダウンジャケット・プリント柄・和服等の衣類２のシミや汚れ部位３に、図２に示すように、ドライゼットクリ−ナ（商品名）４を収納したスプレ−容器５でスプレ−し、クロス６で拭き取る汚れ等の除去工程で、この汚れ等の除去工程１で使用するドライゼットクリ−ナ４は超純水、シリコン、界面活性剤、有機酸、除菌剤が主剤である、株式会社ラムス社が市販しているものを使用する。
【００１０】
また、この汚れ等の除去工程１で使用するクロス６は、図３に示すようにペットボトルの再生糸に綿を配合した編糸を用いて、表面が凹凸のライン状となるように編まれた、汚れが付着する編地で形成されたものを使用する。
【００１１】
なお、本発明の実施の形態では家庭用のドライゼットクリ−ナ（商品名）４を使用するものに付いて説明したが、本発明はこれに限らず、該ドライゼットクリ−ナ（商品名）と同剤の業務用のドライウエットクリ−ナ（商品名）を使用しても同様に実施することができる。
【００１２】
７は前記汚れ等の除去工程１を経た衣類２Ａに、図４に示すように前記ドライゼットクリ−ナ４をシワや汚れ、汗等の付着部分に少し多めにスプレ−するドライゼットクリ−ナスプレ−工程で、このドライゼットクリ−ナスプレ−工程７でドライゼットクリ−ナ４のスプレ−回数はジャケットで１０〜２０回程度で、使用量は１０〜２０ＣＣを目安に行なう。
【００１３】
８は前記ドライゼットクリ−ナスプレ−工程７後にスプレ−された衣類２Ｂを図５に示すように、回転式乾燥機９に入れるとともに、立体的で所定の質量を有する洗浄マット１０も少なくとも１個以上入れ、衣類２Ｂと洗浄マット１０を回転させながら、衣類２Ｂの汚れを洗浄マット１０で拭き取りながら乾燥させる乾燥工程で、この乾燥工程８で使用する回転式乾燥機９は業務用はもちろん、家庭用のものを用い、低温か弱にして運転して乾燥するが、１０分程経ったら乾燥具合を確かめ、乾いていない時は再度１０分程乾燥させる。
【００１４】
また、この乾燥工程８は図６に示すように、ペットボトルの再生糸に綿を配分した編糸を用いて表面が凹凸のライン状となるように編まれた、汚れが付着する編地で形成された袋１１と、この袋１１内に該袋１１が立体的となりかつ所定の質量、例えば１００グラム〜４５０グラムとなるように収納された、外径寸法が５〜２０ｍｍの筒状のプラスチック材を５〜２０ｍｍの所定寸法に切断した多数個の質量体１２で構成されたものを使用する。
前記回転式乾燥機９として使用されるものは、家庭用乾燥機は勿論、ランドリ用乾燥機、ドライクリーニング機の乾燥工程等である。
【００１５】
上記のような各工程を行なってクリ−ニングするドライウェットクリーニング方法でクリーニングした場合、ドライゼットクリーナ４の主剤は純水を除き、いずれの成分も５０〜６０度では蒸発しない。
このため、排気口よりの排出物は衣類の汚れ成分の一部が水分となり、洗い方では排水もなく、溶剤も使用しないため、無公害でクリーニングすることができる。
【００１６】
また、乾燥工程８で衣類２Ｂと洗浄マット１０を回転させながら行なうため、衣類２Ｂの汚れを洗浄マット１０が拭きながら除去しながら乾燥させる状態となり、効率よく衣類２Ｂを乾燥マット１０で拭くことができる。
【００１７】
【発明の異なる実施の形態】
次に、図７ないし図１３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１８】
図７および図８に示す本発明の第２の実施の形態において、前記本発明の第１の実施の形態と主に異なる点は、目立つようなシミや汚れがない衣類２は汚れ等の除去工程を行なうことなく、直接ドライゼットクリーナスプレー工程７を行なった点で、このようなドライウェットクリーニング方法を行なっても、前記本発明の第１の実施の形態と同様な作用効果が得られるとともに、楽に短時間にクリーニングを行なうことができる。
【００１９】
図９ないし図１１に示す本発明の第３の実施の形態において、前記本発明の第１の実施の形態と主に異なる点は、中央部に大きな凹部１３を形成できるように袋１１の中央部を糸１４で縫い付けた洗浄マット１０Ａを用いて乾燥工程８Ａを行なった点で、このような洗浄マット１０Ａを用いた乾燥工程８Ａを使用したドライウェットクリーニング方法を行なっても、前記本発明の第１の実施の形態と同様な作用効果が得られる。
【００２０】
図１２および図１３に示す本発明の第４の実施の形態において、前記本発明の第１の実施の形態と主に異なる点は、プラスチック材を石状に加工した質量体１２Ａを用いた洗浄マット１０Ｂを乾燥工程８Ｂで使用した点で、このような洗浄マット１０Ｂを用いた乾燥工程８Ｂを使用したドライウェットクリーニング方法を行なっても、前記本発明の第１の実施の形態と同様な作用効果が得られる。
【００２１】
なお、前記本発明の各実施の形態では乾燥工程で熱を加えながら行うものに付いて説明したが、本発明はこれに限らず、室温等が高い場合には熱を加えることなく、回転させるだけで乾燥させることもできる。
【００２２】
また、前記本発明の各実施の形態では乾燥工程で使用する洗浄マット１０、１０Ａ、１０Ｂとして袋１１の内部に筒状のプラスチック材、石状に加工したプラスチック材で形成した多数個の質量体１２を収納するものに付いて説明したが、本発明はこれに限らず、スポンジ材、プラスチック材、ゴム材、合成ゴム材等を厚板状、中央部が外方に弧状に突出する枕状、表面に多数個の突起部を形成した厚板状や中央部が外方に弧状に突出する枕状等に１００グラム〜４５０グラムとなるように形成した質量体１２を一個あるいは２個、袋１１内に収納した洗浄マットを使用しても良い。
【００２３】
さらに、前記本発明の各実施の形態では洗浄マット１０、１０Ａ、１０Ｂの袋１１はペットボトルの再生糸に綿を配分した編糸を用いて表面が凹凸のライン状となるように編まれた、汚れが付着する編地で形成されたものを用いるものに付いて説明したが、本発明はこれに限らず、乾燥工程の回転時に衣類と接触して、該衣類の汚れを拭き取れるものであれば布地あるいは多数個のヒダを形成した布地を用いても良い。
【００２４】
【発明の効果】
以上の説明から明らかなように、本発明にあっては次に列挙する効果が得られる。
【００２５】
（１）クリーニングする衣類にドライゼットクリーナ（商品名）をシワや汚れ、汗の付着部分に少し多めにスプレーするドライゼットクリーナスプレー工程と、このドライゼットクリーナスプレー工程後にスプレーされた衣類を回転式乾燥機に入れるとともに、立体的で所定の質量を有する洗浄マットも少なくとも１個以上入れ、衣類と洗浄マットを回転させながら乾燥させる乾燥工程とからなるので、回転式乾燥機があれば家庭でもドライウェットクリーニングを行なうことができる。
したがって、時間と費用の節約を行なうことができる。
【００２６】
（２）前記（１）によって、ドライゼットクリーナは溶剤でないので、クリーニングで公害問題となる溶剤を含んだ排水と排気ガスの発生がなく、無公害でクリーニングを行なうことができる。
【００２７】
（３）前記（１）によって、乾燥工程で衣類と洗浄マットを回転させるので、回転中に衣類を洗浄マットで自動的に拭く状態となり、衣類の汚れをドライゼットクリーナで効率よく洗浄マットに付着させて除去することができる。
【００２８】
（４）前記（１）によって、衣類にドライゼットクリーナをスプレーするだけであるので、衣類の繊維の損傷、風合いの変化、色落ち、型崩れがなくクリーニングすることができる。
したがって、従来不可能であった色付きの毛皮や合成皮革等のクリーニングができる。
【００２９】
（５）請求項２、３、４も前記（１）〜（４）と同様な効果が得られる。
【図面の簡単な説明】
【図１】本発明の第１の実施の形態の工程図。
【図２】本発明の第１の実施の形態の汚れ等の除去工程の説明図。
【図３】本発明の第１の実施の形態のクロスの説明図。
【図４】ドライゼットクリーナスプレー工程の説明図。
【図５】本発明の第１の実施の形態の乾燥工程の説明図。
【図６】本発明の第１の実施の形態の洗浄マットの一部破断説明図。
【図７】本発明の第２の実施の形態の工程図。
【図８】ドライゼットクリーナスプレー工程の説明図。
【図９】本発明の第３の実施の形態の工程図。
【図１０】本発明の第３の実施の形態の洗浄マットの平面図。
【図１１】図１０の１１−１１線に沿う断面図。
【図１２】本発明の第４の実施の形態の工程図。
【図１３】本発明の第４の実施の形態の洗浄マットの一部破断説明図。
【符号の説明】
１：汚れ等の除去工程、　２、２Ａ、２Ｂ：衣類、
３：シミや汚れ部位、　　４：ドライゼットクリーナ、
５：スプレー容器、　　　６：クロス、
７：ドライゼットクリーナスプレー工程、
８、８Ａ、８Ｂ：乾燥工程、
９：回転式乾燥機、
１０、１０Ａ、１０Ｂ：洗浄マット、
１１：袋、　　　　　　　１２、１２Ａ：質量体、
１３：凹部、　　　　　　１４：糸。
【図１】
2004024379.tif 000003
【図２】
2004024379.tif 000004
【図３】
2004024379.tif 000005
【図４】
2004024379.tif 000006
【図５】
2004024379.tif 000007
【図６】
2004024379.tif 000008
【図７】
2004024379.tif 000009
【図８】
2004024379.tif 000010
【図９】
2004024379.tif 000011
【図１０】
2004024379.tif 000012
【図１１】
2004024379.tif 000013
【図１２】
2004024379.tif 000014
【図１３】
2004024379.tif 000015